(57)【要約】【課題】曲面を有する素材に対するレーザマーキングにおいて、低コストで曲面に対しレーザマーキングを施す。【解決手段】マーキング対象物の曲面形状に沿うようにマーキング画像データからマーキング制御情報を生成し、レーザマーカ装置とマーキング対象物とのワーキングディスタンスの最長箇所と最短箇所の高さの中間点にレーザ光の焦点を合わせて、レーザマーキングを施す。【選択図】  図１
2004298905.tif 000002
【特許請求の範囲】
【請求項１】
レーザマーカの被写界深度の範囲に立体面を深さ方向に分割するステップと、前記分割された立体面ごとに前記被写界深度の中点の焦点距離でレーザを照射するステップとを有することを特徴とする立体物へのレーザマーキング方法。
【請求項２】
請求項１記載のレーザマーキング方法において、さらに、
前記分割された立体面へのレーザ照射長がマーキング画像長に等しくなるようにマーカー制御情報を生成するステップを有することを特徴とする立体物へのレーザマーキング方法。
【発明の詳細な説明】
【０００１】
【発明の属する技術分野】
本発明はレーザマーキング制御技術に関し、曲面を有する素材に対する曲面へのレーザマーキング技術等に適用して有益な技術に関する。
【０００２】
【従来の技術】
従来の局面へのレーザマーキング技術は、たとえば特許文献１に開示されているように、レーザ発振器とマーキング対象物とのワーキングディスタンスを一定に保った状態でこれらを相対的に移動させ、レーザ発振器から照射されるレーザ光によりマーキング対象物にマーキングを行うマーキング装置を用いた技術である。
【０００３】
【特許文献１】
特開平２０００−２６３２５５号公報
【０００４】
【発明が解決しようとする課題】
上記従来技術では、マーキングをおこなう素材とレーザーマーカの距離が一定になるように、素材を移動させるのもであり、高価な駆動式位置決め機構を備えたレーザーマーキング装置が必要だった。
【０００５】
本発明は上記問題を解決するために考案したものであり、従来からある平面用のレーザーマーキング装置を利用して低価格に曲面へのレーザマーキングをおこなえレーザマーキング方法を提供することを目的とする。
【０００６】
【課題を解決するための手段】
上記目的を達成するために、本発明では、レーザマーキング装置の被写界深度の範囲に、マーキングをおこなう素材を深さ方向を分割し、分割した立体面ごとにレーザマーキングをおこなうようにする。このとき、レーザマーキングは被写界深度の中点に焦点距離を定め、分割した立体面ごとにマーキングをおこなうようにする。異なる分割部のマーキングをおこなう時には、素材とレーザマーカーの距離が前記焦点距離になるように、素材のレーザー照射方向の取り付け高さを調整する。
【０００７】
さらに、上記分割した素材の立体面に対して、レーザ照射長が画像のマーキング長になるようにマーキング制御情報を生成し、この情報に基いてマーキングをおこなうようにする。このときの制御情報は、平面方向の素材の移動速度を変えてもよいし、レーザ照射エネルギー量を制御してもよい。これにより、曲面に沿って画像をマーキングすることができる。
【０００８】
【発明の実施の形態】
以下、本発明の実施例について図面を参照して説明する。
レーザマーキング対象物２について、形状に曲面を有しており、尚且つレーザ光の入射角度によりマーキング対象物２がレーザ光を反射する事の少ない樹脂系の素材で出来た、円筒のＡＢＳパイプを真ん中から割った物を使用してレーザマーキングを実施する。
【０００９】
まず、ＡＢＳパイプをレーザマーキング用ワーク台１０に固定する。パイプの表面にレーザマーカ装置７を用いてマーキングを行うために、Ｚゲージ台１１を用いて、パイプの表面にレーザ焦点を合わせる。図３に具体的な理論を説明する。
【００１０】
図３は、レーザマーカ装置７でマーキング対象物２の曲面にレーザ光５を照射する際の、レーザ焦点距離Ｌと、マーキングエリアに対する高さの有効範囲Ｚａを表す図である。レーザマーカ装置７とマーキング対象物２とのワーキングディスタンスの最長箇所９にレーザ焦点を合わせると最短個所付近８が、最短箇所８にレーザ焦点を合わせると最長個所付近９が、レーザ焦点個所にかかるレーザパルスのパワーよりも弱いパワーでレーザマーキングされるのでマーキング面が薄くなり、マーキング面全体はグラデーションをかけたような感じになる。そのためにマーキング面のグラデーション効果を緩和あるいは打ち消すために、レーザマーカ装置７とマーキング対象物２とのワーキングディスタンスの最長箇所９と最短箇所８の高さの中間点±０．５％にレーザ焦点距離Ｌを合わせる。レーザマーカ装置自体のレーザ焦点距離Ｌ及びマーキング精度の許容範囲Ｚにより、マーキング対象物２に対するマーキング可能なエリアの高さ幅Ｚａの有効範囲が広狭する。例えば、「レーザ焦点距離Ｌから±５ｍｍの範囲内であれば、レーザ焦点合わせ時と同等のマーキング精度が得られる」レーザマーカ装置であれば、レーザ焦点距離±５ｍｍ考えてマーキング精度の許容範囲Ｚが１０ｍｍになり、マーキング可能なエリアの高さ幅Ｚａは１０ｍｍ以内と見ることができる。
【００１１】
つぎに、従来のマーキング画像４をパイプの曲面に合わせるために、パソコンを用いて画像ソフトで編集して、画像データ１をレーザマーカ装置２に出力する。レーザマーカ装置７を用いて、パイプの曲面に、編集後の画像データ１をマーキングする事により、パイプの表面に、編集前のマーキング画像４を張り付けたデザインのマーキング面３ｂが出来て、これで曲面へのレーザマーキングが終了する。図２、図１にマーキング画像変換の理由と理論を示す。
【００１２】
図２は、従来方式時に照射する通常のマーキング画像４（本発明内容をわかりやすくするために、等間隔の縞模様で形成されるマーキング画像を使用する）を、レーザマーカ装置７を使用してマーキング対象物２の曲面にマーキングした場合の図である。マーキング画像４内の縞模様の幅ａが、マーキング対象物２の曲面にマーキングされると、レーザパルスの当たった個所の角度θｘに応じて、マーキング対象物２の曲面にマーキングされた縞模様の幅ａｘは、  ａｘ＝ａ／ｃｏｓθｘ  の計算で元のマーキング画像４の縞模様の幅より広がってしまい、マーキング面３ａ全体の長さやバランスが狂ってしまう。
【００１３】
図１は、図２の問題を解決するために画像編集ソフトで編集したマーキング画像１を、レーザマーカ装置７を使用してマーキング対象物２の曲面にマーキングした場合の図である。図１のマーキング画像１は、図２の従来方式のマーキング画像４を、マーキング対象物２の曲面上に貼り付け、レーザ光の照射側から見下ろすイメージに画像編集ソフトを用いて編集したものであり、レーザパルスの当たる個所の角度θｘとマーキング対象物２の曲面にマーキングしたい縞模様の幅ｂに応じて、画像編集の為に得たいマーキング画像の縞模様の幅ｂｘは、  ｂｘ＝ｂ・ｃｏｓθｘ  の計算で求まる。このように編集された画像をマーキング対象物２の曲面にマーキングすると、曲面にマーキング画像４を貼り付ける用なイメージで、マーキング面３ｂが仕上がり、曲面へのレーザマーキングは終了する。
なお、マーキング画像の大きさ・画像の線の細かさ・曲面の角度θの相関により、マーキング面の端のほうが潰れてしまう可能性があるために、画像は簡単なものが好ましい。
【００１４】
また、マーキング曲面の半径などに応じたデータのテーブル化を行い、それを元にマーキング画像の編集を行うことで、レーザマーキングを行うことができる。
【００１５】
図４にＣＡＤソフトを用いたデータテーブル作成の例を示す。
図４は、ＣＡＤソフトを用いて作成した曲面図１２と、それを元に作成した曲面データテーブル１３を表す図である。あらかじめ複数のマーキング曲面の半径Ｒを求め、それを元にＣＡＤソフトを利用して曲面図１２を作成する。曲面を製図後、実際にマーキング画像を補整する際に、どのくらい細かくマーキング画像を分割するのか、曲面の分割数を決め、実際に曲面の幅を等分割する。この際に、分割したエリア毎にナンバーを振り分けておき、等分割された曲面の幅Ｗを測定する。曲面の分割エリア毎に寸法Ｘａを測定して、マーキング画像の分割エリア毎の幅縮小率γを  γ＝Ｘａ  ／  Ｗ  の計算で求めて、これらのデータを曲面の半径Ｒ毎にテーブル化する。あとは、マーキング対象物の曲面の半径Ｒから、レーザマーキングを施したいマーキング画像が占有する曲面上の分割エリアＮｏ．の画像分割縮小率γを元に、マーキング画像を補整して、レーザマーキングを施すことが出来る。
【００１６】
【発明の効果】
本発明によれば、曲面を有した素材に対し、低コストでレーザマーキングを施すことができる。
【図面の簡単な説明】
【図１】本発明に基く立体マーキング方法をしめす図である。
【図２】従来技術による立体マーキング方法をしめす図である。
【図３】本発明のレーザマーカ装置で概要図である。
【図４】マーキング制御内容を説明する図である。
【符号の説明】
１…編集後マーキング画像、２…マーキング対象物、３…マーキング面、
４…従来のマーキング画像、５…レーザ光、６…集光レンズ、
７レーザマーカ装置、８ワーキングディスタンス最短点、
９…ワーキングディスタンス最長点、１０…ワーク台、１１…Ｚゲージ台、
１２…マーキング曲面ＣＡＤデータ、１３…曲面データテーブル
【図１】
2004298905.tif 000003
【図２】
2004298905.tif 000004
【図３】
2004298905.tif 000005
【図４】
2004298905.tif 000006